(57)【要約】【課題】  ファイルフォーマットの変換後も変換前の拡張子等のファイル属性から簡単にファイルを検索できるフォーマット変換装置を提供する。【解決手段】  ファイル属性識別部１０５は、変換前のファイルの属性（作成したアプリケーション名など）を識別する。ファイルフォーマット変換部１０７は、ファイルを選択されたフォーマットに変換する。ファイル属性付加・ファイル書出部１０９は、ファイル属性識別部１０５で識別したファイル属性をテキストとしてファイルに付加する。これにより、フォーマット変換後も元のファイルの属性を参照することができ、文書作成時のアプリケーション等のファイル属性によるファイルのソートや検索が可能となる。【選択図】        図２
2005258592.tif 000002
【特許請求の範囲】
【請求項１】
入力または作成されたファイルの属性を判別する判別手段と、
前記ファイルのフォーマットを変換する変換手段と、
変換前の前記ファイルの属性を付加情報として、前記変換後のファイルに付加する付加手段とを備えた、フォーマット変換装置。
【請求項２】
前記変換前のファイルの属性は、当該ファイルを作成したアプリケーションを示す情報である、請求項１に記載のフォーマット変換装置。
【請求項３】
前記ファイルは複数ページからなり、前記付加情報はページ毎に付加される、請求項１または２に記載のフォーマット変換装置。
【請求項４】
前記判別手段は、変換前のファイルの属性を、変換前のファイルの拡張子に基づいて判別する、請求項１〜３のいずれかに記載のフォーマット変換装置。
【請求項５】
前記判別手段は、変換前のファイルの属性を、変換前のファイルの画像に基づいて判別する、請求項１〜３のいずれかに記載のフォーマット変換装置。
【請求項６】
フォーマットが変換されたファイルであって、フォーマット変換前のファイルの属性を付加情報として記録したファイルを複数格納する格納手段と、
前記格納手段に格納されたファイルの中から所望のファイルを検索するために、ユーザから、検索対象であるファイルのフォーマット変換前の属性を入力する第１の入力手段と、
前記格納手段に格納されたファイルの属性を読出す読出手段と、
前記第１の入力手段で入力されたフォーマット変換前のファイルの属性、および前記読出手段により読出されたファイルの属性に基づいて、前記格納手段から所望のファイルを検索する検索手段とを備えた、ファイル検索装置。
【請求項７】
前記ユーザから、検索対象であるファイルのフォーマット変換後の属性を入力する第２の入力手段をさらに備え、
前記検索手段は、前記第１の入力手段で入力されたフォーマット変換前のファイルの属性、前記第２の入力手段で入力されたフォーマット変換後のファイルの属性、および前記読出手段により読出されたファイルの属性に基づいて、前記格納手段から所望のファイルを検索する、請求項６に記載のファイル検索装置。
【請求項８】
前記格納手段は、フォーマット変換前のファイルを作成したアプリケーションを示す情報を付加情報として記録し、
前記検索手段は、前記アプリケーションを示す情報に基づいて検索されたファイルを順に表示する、請求項６または７に記載のファイル検索装置。
【請求項９】
入力または作成されたファイルの属性を判別する判別ステップと、
前記ファイルのフォーマットを変換する変換ステップと、
変換前の前記ファイルの属性を付加情報として、前記変換後のファイルに付加する付加ステップとをコンピュータに実行させる、フォーマット変換プログラム。
【請求項１０】
フォーマットが変換されたファイルであって、フォーマット変換前のファイルの属性を付加情報として記録したファイルを格納する格納手段から、ファイルを検索するファイル検索プログラムであって、
前記格納手段に格納されたファイルの中から所望のファイルを検索するために、ユーザから、検索対象であるファイルのフォーマット変換前の属性を入力する入力ステップと、
前記格納手段に格納されたファイルの属性を読出す読出ステップと、
前記入力ステップで入力されたフォーマット変換前のファイルの属性、および前記読出ステップにより読出されたファイルの属性に基づいて、前記格納手段から所望のファイルを検索する検索ステップとをコンピュータに実行させる、ファイル検索プログラム。
【発明の詳細な説明】
【技術分野】
【０００１】
この発明は、フォーマット変換装置およびファイル検索装置に関し、特に、フォーマット変換後のファイルをフォーマット変換前の属性に基づいて検索することができるフォーマット変換装置およびファイル検索装置に関する。
【背景技術】
【０００２】
以下の特許文献１には、文書画像に属性を付与して管理する文書管理システムが開示されている。この文書管理システムにおいては、文書画像に、識別されたフォーム種類に対応する文書タイプの属性（報告書、日時等）が付加される。これにより、効率的に文書画像に属性を付加することができる。なお、文書タイプごとに割当てる属性は予め定義されている。
【０００３】
一方、文書や画像ファイルをＰＤＦ（portable document format）ファイルへ変換するアプリケーションソフトとして、Ａｄｏｂｅ社のＰＤＦＷｒｉｔｅｒなどのソフトウェアが存在する。
【特許文献１】特開２００２−２６９１２６号公報
【発明の開示】
【発明が解決しようとする課題】
【０００４】
コンピュータに記録された文書ファイルの中から所望のファイルを探すときに、作成したアプリケーション（拡張子）を頼りに探すことがある。しかし、ワードやエクセルで作成した文書をＰＤＦファイルに変換すると、拡張子がすべて「．ｐｄｆ」になってしまう。このため、エクスプローラー等を用いて、拡張子をキーワードに検索できなくなる。すなわち従来技術においては、ファイルのフォーマットを変更してしまうと、ファイルを作成したアプリケーションの種類でファイルの検索を行なうことができないという問題があった。
【０００５】
この発明は上記問題点を解決するためになされたものであり、ファイルフォーマットの変換後も変換前の拡張子等のファイル属性から簡単にファイルを検索できるフォーマット変換装置およびファイル検索装置を提供することを目的としている。
【課題を解決するための手段】
【０００６】
上記目的を達成するためこの発明のある局面に従うと、フォーマット変換装置は、入力または作成されたファイルの属性を判別する判別手段と、ファイルのフォーマットを変換する変換手段と、変換前のファイルの属性を付加情報として、変換後のファイルに付加する付加手段とを備える。
【０００７】
好ましくは、変換前のファイルの属性は、当該ファイルを作成したアプリケーションを示す情報である。
【０００８】
好ましくは、ファイルは複数ページからなり、付加情報はページ毎に付加される。
【０００９】
好ましくは、判別手段は、変換前のファイルの属性を、変換前のファイルの拡張子に基づいて判別する。
【００１０】
好ましくは、判別手段は、変換前のファイルの属性を、変換前のファイルの画像に基づいて判別する。
【００１１】
この発明の他の局面に従うと、ファイル検索装置は、フォーマットが変換されたファイルであって、フォーマット変換前のファイルの属性を付加情報として記録したファイルを格納する格納手段と、格納手段に格納されたファイルの中から所望のファイルを検索するために、ユーザから、検索対象であるファイルのフォーマット変換前の属性を入力する第１の入力手段と、格納手段に格納されたファイルの属性を読出す読出手段と、第１の入力手段で入力されたフォーマット変換前のファイルの属性、および読出手段により読出されたファイルの属性に基づいて、格納手段から所望のファイルを検索する検索手段とを備える。
【００１２】
好ましくは、ファイル検索装置は、ユーザから、検索対象であるファイルのフォーマット変換後の属性を入力する第２の入力手段をさらに備え、検索手段は、第１の入力手段で入力されたフォーマット変換前のファイルの属性、第２の入力手段で入力されたフォーマット変換後のファイルの属性、および読出手段により読出されたファイルの属性に基づいて、格納手段から所望のファイルを検索する。
【００１３】
好ましくは、格納手段は、フォーマット変換前のファイルを作成したアプリケーションを示す情報を付加情報として記録し、検索手段は、アプリケーションを示す情報に基づいて検索されたファイルを順に表示する。
【００１４】
この発明のさらに他の局面に従うと、フォーマット変換プログラムは、入力または作成されたファイルの属性を判別する判別ステップと、ファイルのフォーマットを変換する変換ステップと、変換前のファイルの属性を付加情報として、変換後のファイルに付加する付加ステップとをコンピュータに実行させる。
【００１５】
この発明のさらに他の局面に従うと、ファイル検索プログラムは、フォーマットが変換されたファイルであって、フォーマット変換前のファイルの属性を付加情報として記録したファイルを格納する格納手段から、ファイルを検索するファイル検索プログラムであって、格納手段に格納されたファイルの中から所望のファイルを検索するために、ユーザから、検索対象であるファイルのフォーマット変換前の属性を入力する入力ステップと、格納手段に格納されたファイルの属性を読出す読出ステップと、第１の入力ステップで入力されたフォーマット変換前のファイルの属性、および読出ステップにより読出されたファイルの属性に基づいて、格納手段から所望のファイルを検索する検索ステップとをコンピュータに実行させる。
【発明の効果】
【００１６】
この発明に従うと、変換前のファイルの属性を付加情報として、変換後のファイルに付加することができるため、それを用いた検索やソートを容易に行なうことができるようになるという効果がある。
【発明を実施するための最良の形態】
【００１７】
以下に、本発明の実施の形態の１つにおける文書ファイルのフォーマット変換装置およびファイルソート装置について説明する。
【００１８】
本実施の形態におけるフォーマット変換装置は、変換前の文書の属性情報をテキスト化して変換後のファイルに付加することを特徴とする。これにより、フォーマット変換後も元のファイルの属性を参照できるので、文書作成時のアプリケーション種類等のファイル属性を用いたファイルのソートや検索が容易に可能となる。
【００１９】
図１は、本発明の実施の形態の１つにおける文書フォーマット変換装置およびファイルソート装置のハードウェア構成を示すブロック図である。
【００２０】
図を参照して、装置は、ＰＣ（パーソナルコンピュータ）により構成される。ＰＣは、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００２１】
フレキシブルディスクドライブ６１１により、フレキシブルディスクＦに記録されたプログラムなどのデータを読取ることが可能であり、ＣＤ−ＲＯＭドライブ６１３により、ＣＤ−ＲＯＭ６１３ａに記録されたプログラムなどのデータを読取ることが可能である。
【００２２】
図２は、文書フォーマット変換装置の機能ブロック図である。
【００２３】
図を参照して、文書フォーマット変換装置は、変換ファイル指定部１０１と、ファイル読込部１０３と、ファイル属性識別部１０５と、ファイルフォーマット変換部１０７と、ファイル属性付加・ファイル書出部１０９とを備えている。
【００２４】
変換ファイル指定部１０１は、フォーマット変換する対象ファイル（ワード文書、スキャナで読取った文書画像等）、および変換後のファイル種類（PDF、TIFF等）を選択する。
【００２５】
ファイル読込部１０３は、変換ファイル指定部１０１で選択したファイルを読込み、メモリに展開する。
【００２６】
ファイル属性識別部１０５は、メモリに読み込んだファイルの属性を識別する。
【００２７】
ファイルフォーマット変換部１０７は、メモリに展開されたデータを変換ファイル指定部１０１で選択されたフォーマットに変換する。
【００２８】
ファイル属性付加・ファイル書出部１０９は、ファイル属性識別部１０５で識別したファイル属性をテキストとして付加し、フォーマット変換部１０７で変換したデータと共にファイルに書き出す。
【００２９】
文書フォーマット変換装置は、変換前の文書の属性情報をテキスト化して変換後のファイルに付加するファイル属性付加・ファイル書出部１０９を備えているため、フォーマット変換後も元のファイルの属性を参照することができる。これにより、文書作成時のアプリケーション種類等のファイル属性によるファイルのソートや検索が容易に可能となる。
【００３０】
図３は、文書フォーマット変換装置が行なう処理を示すフローチャートである。
【００３１】
図を参照して、ステップＳ１０１で、変換するファイルと変換後のファイルフォーマットの指定をユーザから受付ける。なお、例えば変換後のファイルフォーマットとして、ＰＤＦ、高圧縮ＰＤＦ、ＴＩＦＦなどがある。
【００３２】
ステップＳ１０３で、ファイルを読込み、メモリに展開する。ステップＳ１０５で、読込んだファイルの属性を識別する。
【００３３】
このファイル属性の識別においては、ファイルが文書ファイルであれば、図４に示すルールに従い、拡張子から作成アプリケーションの種類を決定し、ファイル属性とする。すなわち、変換前のファイルの拡張子が、「ｄｏｃ」、「ｘｌｓ」、「ｐｐｔ」であれば、それぞれそのファイルを作成したアプリケーションは、ワード、エクセル、パワーポイントとし、それをファイルの属性とする。また、レジストリを参照して、決定しても良い。
【００３４】
ファイルが文書画像の場合は、文字・写真・表・図領域を判別し、領域の位置やサイズなどからアプリケーション種類の適合度（アプリケーション適合度）を決定し、ファイル属性とする。アプリケーション適合度の決定方法に関しては、後述する。
【００３５】
ステップＳ１０７で、ファイルフォーマットの変換処理を行なう。高圧縮ＰＤＦファイルに変換する場合は、ファイル属性識別ステップ（Ｓ１０５）の結果を使って、文字・表は２値化、写真と図はＪＰＥＧで圧縮して、ＰＤＦに出力する。
【００３６】
なお、高圧縮ＰＤＦとは、画像を文字、写真領域に分け、それぞれの領域に適した圧縮方法（写真であればＪＰＥＧ、文字であれば２値化してＭＭＲ符号化など）を採用して各領域の圧縮化を行ない、それを合成することで、圧縮率を高めることを特徴とするファイルフォーマットである。これに対し、通常のＰＤＦは、１枚の画像をそのまま圧縮（カラーならＪＰＥＧ、モノクロ２値ならＭＭＲ符号化などで圧縮）し、ファイルに書き出すフォーマットである（高圧縮ＰＤＦよりも低圧縮となる）。
【００３７】
ステップＳ１０９で、変換後のファイルに対するファイル属性の付加、およびファイルの書出しを行なう。例えばＰＤＦに変換する場合は、ファイル属性をテキストオブジェクトとして変換後のファイルに付加し、変換後のデータと共にファイルに書き出す。
【００３８】
図５は、文書画像を変換した後のＰＤＦファイルの構成の具体例を示す図である。
【００３９】
ここでは、文書画像をＰＤＦに変換してファイル属性を付加した場合のファイルの構造を示している。
【００４０】
図を参照して、ページごとにそのページの変換後の画像データが保存されている。ここでは、１ページ目の画像データを画像データ１、２ページ目の画像データを画像データ２と呼んでいる。
【００４１】
ファイルの属性は、透明なテキストオブジェクトとしてページごとに付加している。すなわち、画像データに透明な文字で、ファイル属性を記録している。ここでは、属性として、ページごとに「ワード度」、「エクセル度」、「パワーポイント度」を記録することとしている。ここでは、「ワード度」、「エクセル度」、「パワーポイント度」のそれぞれは、０〜１００％の値をとりうるデータであり、そのページが何のアプリケーションで作成されたと考えられるかを確率として記録するもの（アプリケーション適合度）である。
【００４２】
すなわち、図中の１ページ目であれば、「ワード度：３０％」、「エクセル度９０％」、「パワーポイント度：１０％」がファイル属性である。これにより、１ページ目はエクセルで作成されたものである確率が最も高いことが示されている。
【００４３】
図６は、文書ファイルを変換した後のＰＤＦファイルの構成の具体例を示す図である。
【００４４】
ここでは、ワードの文書ファイルを変換した場合を示している。文書ファイルを変換する場合、ファイルを作成したアプリケーション名が拡張子より明確であるため、「ワード度」、「エクセル度」、「パワーポイント度」のいずれか１つが１００％となり、残りは０％となる。また、すべてのページに同じ属性が付加されている。
【００４５】
なお、ＴＩＦＦファイルに変換する場合は、ファイルのプロパティに属性を埋め込んだり、タグに属性を入れたりすることができる。
【００４６】
次に、図５で示された、文書画像のページごとのアプリケーション適合度の求め方について説明する。
【００４７】
文書画像は、画像データから構成されるため、拡張子からその文書を作成したアプリケーションを知ることができない。そこで、次の方法で、画像のページ毎にアプリケーション適合度を決める。
【００４８】
・ワード度＝文字領域面積のページ全体に占める割合＊１００
・エクセル度＝表領域面積のページ全体に占める割合＊１００
パワーポイント度に関しても、同様にして、パワーポイントである可能性を百分率で示す関数を用いる。
【００４９】
なお、パワーポイント度として、以下の計算式を用いることもできる。この式を用いると、パワーポイント度が「０」であるときが、最もその文書画像のパワーポイント適合性が高いこととなる。また、値が大きくなる程、適合度が低くなる。
【００５０】
・パワーポイント度＝（[ページの一番上の文字のサイズ]／[パワーポイントでよく使うフォントサイズ］−１）＊１００、の絶対値
なお、上式において、ページの一番上の文字のサイズとは、スライドのタイトルなどを想定するものである。
【００５１】
このようにして、本実施の形態に従うと、ファイルのフォーマット変換時に、変換前の属性、アプリケーション適合率、作成した元のアプリケーション種類（文書画像の場合は、表・写真・文字領域などから推定）を変換後のファイルに付加することができる。また、この付加する情報をテキストとすることで、変換後の検索が容易になるという効果がある。
【００５２】
図７は、ファイルソート装置の機能ブロック図である。
【００５３】
図を参照して、ファイルソート装置は、文書ファイル、ＰＤＦファイル、画像ファイルなどを蓄積するファイル蓄積部２０１と、ファイルリスト表示順用キーワード指定部２０３と、フォルダ選択部２０５と、ファイルリスト表示順決定部２０７と、ファイルリスト表示部２０９とから構成される。
【００５４】
ファイルリスト表示順用キーワード指定部２０３では、ＧＵＩでファイルリスト表示順を決めるキーワードを指定する。
【００５５】
フォルダ選択部２０５では、ＧＵＩでファイルリストを表示するフォルダを選択する。
【００５６】
ファイルリスト表示順決定部２０７は、ファイルリスト表示順用キーワード指定部２０３で指定したキーワードで、フォルダ選択部２０５で選択したフォルダにあるファイルをソートする。
【００５７】
ファイルリスト表示部２０９は、ファイルリスト表示順決定部２０７で決定した順にファイルリストを表示する。
【００５８】
図８は、ファイルソート装置の動作を示すフローチャートである。
【００５９】
図を参照して、ステップＳ２０１で、ファイルリスト表示順用キーワードとフォルダの選択をユーザから受付ける。キーワードには、拡張子や作成したアプリケーション名（ワード・エクセル・パワーポイントなど）、変換後のファイルのフォーマット、日時等がある。
【００６０】
ステップＳ２０３で、ファイルリスト表示順の決定を行なう。これは、ファイル蓄積部２０１に蓄積された各ファイルに埋め込まれたキーワード（属性）を参照し、ファイルリスト表示順を決定する処理である。作成したアプリケーション名が検索キーワードとして選択されたときは、ファイルに付加されたアプリケーション適合度（図５、６参照）を取り出し、表示順を決定する。
【００６１】
ステップＳ２０５で、決定した表示順に従ってファイルリストを表示する。表示する内容は、各ファイルのファイル名、拡張子、作成日、アプリケーション種類などである。
【００６２】
図９は、図８のステップＳ２０１でのキーワード入力処理を示すフローチャートである。
【００６３】
図を参照して、ステップＳ３０１で、キーワードとして、検索を行ないたいファイルの変換前の属性（変換前の拡張子、作成したアプリケーション名、作成日時など）を入力する。ステップＳ３０３で、キーワードとして、検索を行ないたいファイルの変換後の属性（変換後の拡張子、変換に用いたアプリケーション名、変換日時など）を入力する。
【００６４】
ステップＳ３０５で、その他の属性を入力する。
【００６５】
なお、ステップＳ３０３、Ｓ３０５での処理は、キャンセルすることとしてもよい。
【００６６】
図１０は、図７のファイル蓄積部２０１に蓄積されたファイルを作成日でソートしたファイルリストの具体例を示す図である。
【００６７】
図を参照して、ここではファイル蓄積部２０１にＰＤＦファイルが記録されているものとし、それぞれのファイルに、ワード、エクセル、パワーポイントのそれぞれのアプリケーション適合度が記録されている。また、それぞれのファイルに作成日が記録されている。
【００６８】
なお、アプリケーション適合度は、図５および６に示されるように、ファイルのページごとに記録されるものであるが、図１０においては、１つのファイル内のアプリケーション適合度の平均値がファイルごとに管理されているものとする。
【００６９】
図１０においては、ユーザの指示に基づき、作成日の若い順にファイルが検索され、ソートされて表示されている。
【００７０】
図１１は、図７のファイル蓄積部２０１に蓄積されたファイルをアプリケーション種類でソートしたファイルリストの具体例を示す図である。
【００７１】
ここではユーザの指示に基づき、ワード度の高いものから表示を行なうこととされており、ワード度の高い順にファイルが検索され、ソートされて表示されている。
【００７２】
なお、ステップＳ２０１で受付けられたキーワードに合致するファイルのみを抽出して、検索結果として表示する、いわゆる検索処理を行なうことも勿論可能である。
【００７３】
このような処理により、たとえＰＤＦなどに変換されたファイルであっても、変換前の属性に基づいてファイルの検索、ソートを行なえるというメリットがある。
【００７４】
［変形例］
なお、図１０および１１では、アプリケーション適合度を複数ページの平均値として管理することとしたが、ページにより適合度のばらつきがあるときは、近接するページで適合度が近い物同士で平均値を計算するようにしてもよい。これにより、例えばファイルの前半がワードにより作成されたページであり、後半がエクセルで作成されたページであるファイルなど（複数のファイルを統合したファイル）も適切に管理することが可能となる。また、この場合において、リスト表示するときは、ファイルを適合度の近い物で分割してもよい。
【００７５】
図１２は、本変形例の処理を示すフローチャートである。
【００７６】
図を参照して、ステップＳ４０１で、１つのファイル中の適合度のばらつき（偏り）を調べる。ステップＳ４０３で、適合度のばらつきがある一定値以上であると判断されると、ステップＳ４０５で傾向が偏っているページ同士で平均を求め、それをアプリケーション適合度とする。ステップＳ４０７で必要に応じてファイルを分割する。
【００７７】
図１３は、図１２のフローチャートによる処理の具体例を示す図である。
【００７８】
図を参照して、ファイル名が「サンプル．ｐｄｆ」である５ページからなるＰＤＦの処理を行ない、ワード度でソートする例を説明する。図に示されるように、１ページから５ページのそれぞれのアプリケーション適合度のうち、ワード適合度が、１００、１００、１００、０、０であったとする。この場合、１ページ〜３ページと、４ページおよび５ページとの間には、アプリケーション適合度の偏りが存在する。そこで、１ページ〜３ページは、ワード度１００（平均値）のファイルとして扱い、４ページおよび５ページは、ワード度０（平均値）のファイルとして扱う。ファイルを分割する場合、例えば自動的に前者にはサンプル（１−３）．ｐｄｆのファイル名を付与し、後者にはサンプル（４−５）．ｐｄｆのファイル名を付与する。このファイル名は、元のファイル名と、ファイルのページ数とから作成されるものである。
【００７９】
なお、ファイルの分割は、アプリケーション適合度の平均値の差がしきい値以上の場合に行なうようにしてもよい。
【００８０】
［その他］
なお、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の実施の形態の１つにおける文書フォーマット変換装置およびファイルソート装置のハードウェア構成を示すブロック図である。
【図２】文書フォーマット変換装置の機能ブロック図である。
【図３】文書フォーマット変換装置が行う処理を示すフローチャートである。
【図４】ファイル属性の識別方法を説明するための図である。
【図５】文書画像を変換した後のＰＤＦファイルの構成の具体例を示す図である。
【図６】文書ファイルを変換した後のＰＤＦファイルの構成の具体例を示す図である。
【図７】ファイルソート装置の機能ブロック図である。
【図８】ファイルソート装置の動作を示すフローチャートである。
【図９】図８のステップＳ２０１でのキーワード入力処理を示すフローチャートである。
【図１０】図７のファイル蓄積部２０１に蓄積されたファイルを作成日でソートしたファイルリストの具体例を示す図である。
【図１１】図７のファイル蓄積部２０１に蓄積されたファイルをアプリケーション種類でソートしたファイルリストの具体例を示す図である。
【図１２】変形例での処理を示すフローチャートである。
【図１３】図１２のフローチャートによる処理の具体例を示す図である。
【符号の説明】
【００８３】
１０１  変換ファイル指定部、１０３  ファイル読込部、１０５  ファイル属性識別部、１０７  ファイルフォーマット変換部、１０９  ファイル属性付加・ファイル書出部、２０１  ファイル蓄積部、２０３  ファイルリスト表示順用キーワード指定部、２０５  フォルダ選択部、２０７  ファイルリスト表示順決定部、２０９  ファイルリスト表示部。
【図１】
2005258592.tif 000003
【図２】
2005258592.tif 000004
【図３】
2005258592.tif 000005
【図４】
2005258592.tif 000006
【図５】
2005258592.tif 000007
【図６】
2005258592.tif 000008
【図７】
2005258592.tif 000009
【図８】
2005258592.tif 000010
【図９】
2005258592.tif 000011
【図１０】
2005258592.tif 000012
【図１１】
2005258592.tif 000013
【図１２】
2005258592.tif 000014
【図１３】
2005258592.tif 000015